(57)【要約】【課題】背当部材と背凭れ支持部材との間の空間の上方を、後覆い部によって覆うことができるだけでなく、背当部材の上部後面に後覆い部を設けても、着座者が背当部材に凭れたときの背当部材の弾性撓曲をあまり妨げることがなく、もって、着座者に快適な座り心地を与えることができるようにした椅子を提供する。【解決手段】背当部材１０の上部後面に、該後面に対して下向傾斜するとともに、背凭れ支持部材である背凭れフレーム９の上端から上方に離間するようにして、後下方に延出し、かつ背当部材１０と背凭れフレーム９との間の空間の上方と、背凭れフレーム９の上方とを覆う可撓性の後覆い部(４１、４２)を設ける。【選択図】  図８
2014008253.tif 000002
【特許請求の範囲】
【請求項１】
脚体と、
脚体によって支持された上下方向を向く背凭れ支持部材と、
前記背凭れ支持部材の前面に、該前面から前後方向に離間するようにして支持された可撓性を有する背当部材とを備える椅子において、
前記背当部材の上部後面に、該後面に対して下向傾斜するとともに、前記背凭れ支持部材の上端から上方に離間するようにして、後下方に延出し、かつ前記背当部材と背凭れ支持部材との間の空間の上方を覆う可撓性の後覆い部を設けたことを特徴とする椅子。
【請求項２】
背当部材の少なくとも後覆い部を、軟質材料により形成した請求項１記載の椅子。
【請求項３】
背当部材の上部に、後上方に向かって屈曲する屈曲部を形成し、この屈曲部の後面における上端より下方の部分に後覆い部を設けた請求項１または２記載の椅子。
【請求項４】
後覆い部が、背当部材の後面から鋭角をなして後下方を向く下向片と、その下端から鈍角をなして後方を向く後向片とを備えている請求項１〜３のいずれかに記載の椅子。
【請求項５】
下向片と後向片との結合部から垂下する垂下片を、背凭れ支持部材の前面に止着した請求項４記載の椅子。
【請求項６】
背当部材の上部後面における後覆い部の両側方に、背当部材を背凭れ支持部材に係止させる係止手段を設けた請求項１〜５のいずれかに記載の椅子。
【請求項７】
背凭れ支持部材の後面側に、後面カバーを設けるとともに、該後面カバーの前面側に、左右方向の前向き片を、後覆い部の先端部よりも上方に位置するように設けた請求項１〜６のいずれかに記載の椅子。
【発明の詳細な説明】
【技術分野】
【０００１】
本発明は、背当部材と、それを支持する背凭れ支持部材との間に空間が形成されている椅子に関する。
【背景技術】
【０００２】
従来の椅子には、背当部材と、それを支持する背凭れ支持部材との間に空間が形成されているものがある(例えば特許文献１参照)。
【先行技術文献】
【特許文献】
【０００３】
【特許文献１】特許第４０３６４２８号公報
【特許文献２】特許第４９１７８５０号公報
【発明の概要】
【発明が解決しようとする課題】
【０００４】
上記のような椅子においては、背当部材と、背凭れ支持部材またはその後面に取り付けた後面カバーとの間の空間に他物が進入したり、挟まったりするのを防止するため、背当部材の後面に上記空間の上方を覆う覆い部材(特許文献１における水平片３３、特許文献２における上カバー１３)を設けている。
【０００５】
しかし、背当部材は、着座者が凭れたとき、左右方向の中央部が後方に平面視円弧状に弾性撓曲するように可撓性をもたせていることが多く、その場合に、上記の覆い部材が、弾性撓曲の妨げとなる。
【０００６】
特に、背当部材は、着座者が凭れたとき、座に近い下部より、上部の方がより大きく弾性撓曲しようとするので、その上部の後面に覆い部材を設けることは、その弾性撓曲を著しく阻害することになるので好ましくない。
【０００７】
本発明は、従来の技術が有する上記のような問題点に鑑みてなされたもので、背当部材と背凭れ支持部材との間の空間の上方を、後覆い部によって覆うことができるだけでなく、背当部材の上部後面に後覆い部を設けても、着座者が背当部材に凭れたときの背当部材の弾性撓曲をあまり妨げることがなく、もって、着座者に快適な座り心地を与えることができるようにした椅子を提供することを目的としている。
【０００８】
本発明によると、上記課題は、次のようにして解決される。
（１）脚体と、脚体によって支持された上下方向を向く背凭れ支持部材と、前記背凭れ支持部材の前面に、該前面から前後方向に離間するようにして支持された可撓性を有する背当部材とを備える椅子において、前記背当部材の上部後面に、該後面に対して下向傾斜するとともに、前記背凭れ支持部材の上端から上方に離間するようにして、後下方に延出し、かつ前記背当部材と背凭れ支持部材との間の空間の上方を覆う可撓性の後覆い部を設ける。
【０００９】
このような構成によると、後覆い部によって、背当部材と背凭れ支持部材との間の空間の上方を覆うことができ、上記空間への他部の進入や挾み込み等を防止しうるだけでなく、着座者が背当部材に凭れて、背当部材が、その左右方向の中央部が後方に膨出するように弾性撓曲しようとするとき、後覆い部は、背当部材の弾性撓曲に伴って、下向きに弾性撓曲し、それによって、背当部材の上部後面に後覆い部を設けても、背当部材の上記のような弾性撓曲をあまり妨げることがないようにすることができ、もって、着座者に快適な座り心地を与えることができる。
【００１０】
（２）上記(１)項において、背当部材の少なくとも後覆い部を、軟質材料により形成する。
【００１１】
このような構成によると、背当部材は弾性撓曲し易くなり、着座者が背当部材に凭れたときの背当部材の弾性撓曲を阻害する程度をさらに小とすることができる。
【００１２】
（３）上記(１)または(２)項において、背当部材の上部に、後上方に向かって屈曲する屈曲部を形成し、この屈曲部の後面における上端より下方の部分に後覆い部を設ける。
【００１３】
このような構成によると、背当部材の上部に形成した屈曲部は、後下方に弾性撓曲し易くなり、それに伴って、後覆い部も屈曲部とともに弾性撓曲し易くなる。
【００１４】
（４）上記(１)〜(３)項のいずれかにおいて、後覆い部が、背当部材の後面から鋭角をなして後下方を向く下向片と、その下端から鈍角をなして後方を向く後向片とを備えるものとする。
【００１５】
このような構成によると、後覆い部における背当部材に近い部分である下向片が、背当部材の背面に対して、直交する方向より背当部材の背面に近い方向を向くので、着座者が背当部材に凭れて、背当部材が、その左右方向の中央部が後方に膨出するように弾性撓曲しようとするとき、後覆い部は、下向きに弾性撓曲し易くなり、背当部材の弾性撓曲を阻止しようとする力を低減することができる。
【００１６】
（５）上記(４)項において、下向片と後向片との結合部から垂下する垂下片を、背凭れ支持部材の前面に止着する。
【００１７】
このような構成によると、垂下片を背凭れ支持部材の前面に止着することによって、背当部材と背凭れ支持部材との間の空間の上方を、下向片によって、隙間が生じることなく、確実に覆うことができるとともに、後向片によって、背凭れ支持部材の上端を、前後方向にずれが生じることなく、確実に覆うことができる。
【００１８】
（６）上記(１)〜(５)項のいずれかにおいて、背当部材の上部後面における後覆い部の両側方に、背当部材を背凭れ支持部材に係止させる係止手段を設ける。
【００１９】
このような構成によると、背当部材の上部両側部が、係止手段によって、背凭れ支持部材に係止されるので、後覆い部が、背凭れ支持部材に対して左右方向に位置ずれすることがなくなり、また、背当部材の上端両側部が背凭れ支持部材から剥離するのを確実に防止することができる。
止させる係止手段を設けた請求項１〜５のいずれかに記載の椅子。
【００２０】
（７）上記(１)〜(６)項のいずれかにおいて、背凭れ支持部材の後面側に、後面カバーを設けるとともに、該後面カバーの前面側に、左右方向の前向き片を、後覆い部の先端部よりも上方に位置するように設ける。
【００２１】
このような構成によると、後覆い部の後端と、後面カバーの前面との間に形成される間隙の上方を、前向き片により覆うことができる。
【発明の効果】
【００２２】
本発明によると、背当部材と背凭れ支持部材との間の空間の上方を、後覆い部によって覆うことができるだけでなく、着座者が背当部材に凭れたときの背当部材の弾性撓曲を、後覆い部を設けることによって阻害する要因を著しく低減しうるようにし、もって、着座者に快適な座り心地を与えることができるようにした椅子を提供することができる。
【図面の簡単な説明】
【００２３】
【図１】本発明の椅子の一実施形態の正面図である。
【図２】同じく、斜め前方から見た斜視図である。
【図３】背凭れおよび背凭れ支持杆の一部を斜め前方から見た分解斜視図である。
【図４】背凭れを斜め後方から見た分解斜視図である。
【図５】後面カバーを外したときの背凭れの背面図である
【図６】後面カバーおよび背凭れ支持杆を取り付けた状態での図５のVI−VI線拡大縦断側面図である。
【図７】後面カバーおよび背凭れ支持杆を取り付けた状態での図５のVII−VII線拡大縦断側面図である。
【図８】後面カバーを取り付けた状態での図５のVIII−VIII線拡大縦断側面図である。
【図９】後面カバーを取り付けた状態での図５のIX−IX線拡大断面図である。
【図１０】後面カバーを取り付けた状態での図５のX−X線拡大横断平面図である。
【図１１】後面カバーを取り付けた状態での図５のXI−XI線拡大横断平面図である。
【図１２】後面カバーを取り付けた状態での図５のXII−XII線拡大横断平面図である。
【図１３】後面カバーを取り付けた状態での図５のXIII−XIII線拡大横断平面図である。
【図１４】図８のXIV−XIV線拡大断面図である。
【発明を実施するための形態】
【００２４】
以下、本発明の椅子の一実施形態を、図面を参照して説明する。
図１および図２に示すように、この椅子においては、先端にキャスタ１を設けた放射状に延びる５本の脚２の中央に支柱３を立設してなる脚体４における上記支柱３の上端に、座５および背凭れ６を支持する支持体７が設けられている。
【００２５】
背凭れ６は、支持体７より後方に向かって延出した後、起立する側面視前向Ｌ字状をなす背凭れ支持杆８(図３参照)における起立部の上部によって支持されている。
背凭れ支持杆８の前端部は、左右方向を向く軸(図示略)をもって、支持体７に枢着され、背凭れ６とともに、支持体７に対して後傾可能となっているが、その後傾のためのリクライニング機構に関しては、本発明に直接関係しないので、図示および詳細な説明は省略する。
なお、背凭れ支持杆８の前端部を、支持体７に固着して実施することもある。
【００２６】
背凭れ６は、硬質合成樹脂材料よりなる正面視ほぼ方形枠状の背凭れ支持部材をなす背凭れフレーム９と、その前面に装着されたエラストマーまたは軟質合成樹脂材料等の可撓性を有する軟質材料よりなる背当部材１０と、この背当部材１０の前面と外周部とを被包するようにして背当部材１０に装着された袋状の表皮材１１と、硬質合成樹脂材料よりなり、背凭れフレーム９の後面を覆うようにして、背凭れフレーム９に装着された後面カバー１２とを備えている。
【００２７】
背凭れフレーム９は、側面視において上下方向の中央部よりやや下方の部分が、前方に向かって突出するように緩やかに屈曲する、上下方向を向く左右１対の縦杆１３、１３と、その上端部同士を連結するとともに、平面視において左右方向の中央部が後方に突出するようにほぼ円弧状に湾曲する上部連結部１４と、左右の縦杆１３、１３の下端部同士を、上部連結部１４の上下幅より大きい上下幅を持って連結するとともに、平面視において左右方向の中央部が後方に突出するようにほぼ円弧状に湾曲する下部連結部１５と、この下部連結部１５の上端における左右方向の中央部から、左右の縦杆１３、１３のやや上部に向かって互いに拡開するように斜めに延出する左右１対の傾斜杆１６、１６とを備えている。なお、背凭れフレーム９と背凭れ支持杆８とを、一体成形されたひとつの部材とすることもある。
【００２８】
図６および図７に示すように、下部連結部１５における左右方向の中央部には、下端のみが開口する方形の凹部１７が設けられ、この凹部１７に、背凭れ支持杆８の後部の起立部の上端部が下方より嵌合され、その上端部と下部連結部１５における凹部１７の前壁１８とを、４個のボルト・ナット１９をもって締着することにより、背凭れフレーム９は、背凭れ支持杆８の後部の起立部の上端部に安定よく固着されている。
背凭れ支持杆８の起立部は、図３に示すように、左右方向を向く金属板の左右両側部に、前方に向かって突出する上下方向を向く突条８ａ、８ａを折曲形成してなり、図７に示すように、各突条８ａの上部２箇所において、ボルト・ナット１９をもって前壁１８に締着されている。
【００２９】
図３、および図８〜図１３に示すように、背凭れフレーム９における左右の各縦杆１３の前面には、上下方向を向く前向凹溝２０が設けられ、この凹溝２０と交差するように、各縦杆１３には、左右方向を向く複数のピン挿入孔２１が、上下方向に適宜の間隔をもって設けられている。
【００３０】
図４、図５、および図１０に示すように、各縦杆１３の後面における外側部には、各ピン挿入孔２１にピンを案内するための左右方向を向く円弧状の案内溝２２が設けられている。
また、図４、図５、および図８に示すように、各縦杆１３における凹溝２０の溝底部であって、ピン挿入孔２１に対応する部分には、前後方向に貫通する縦長の貫通孔２３が設けられている。
【００３１】
図４、図５、および図１２に示すように、各縦杆１３の下部であって、下部連結部１５の両側部には、凹溝２０の一部を含んで前後方向に貫通する方形の貫通孔２４が設けられている。
【００３２】
図４、図５、図１１、および図１３に示すように、各縦杆１３の後面における上記貫通孔２４を挾む上下部には、段付き孔２５、２５が設けられている。
【００３３】
図３、図５、および図８に示すように、各縦杆１３の上端であって、上部連結部１４の両側部には、平面視ほぼ方形の係合孔２６が設けられている。
【００３４】
図３〜図５、および図９に示すように、上部連結部１４の後面における左右方向の中央部には、左右方向を向く長円形の浅い凹入段部２７が設けられており、その凹入段部２７の中央には、ねじ挿通孔２８が、またその両側部には、オプション部材取付孔２９、２９が設けられている。
【００３５】
上部連結部１４の後面における凹入段部２７の両側方には、位置決め孔３０、３０が、さらにその外側の両側方には、段付き孔３１、３１が設けられている。
【００３６】
背凭れフレーム９の前面および後面には、補強および材料の軽減を目的とした多数のリブや肉抜き孔が設けられているが、それらについては、本発明に関連するもののみについて説明し、その他については説明を省略する。
【００３７】
図３、および図９〜図１３に示すように、背凭れフレーム９には、各縦杆１３の内側の縁を形成するとともに、そこから上下に延長して、上部連結部１４および下部連結部１５の前面におけるリブを形成する縦リブ３２が設けられている。
背当部材１０の両側部を支持する支持手段(後述する)よりも内方において、左右の縦杆１３の内側の前縁、すなわち各縦リブ３２の内側の前縁には、背当部材１０の後面に当接する前端面から内側方に向かって、背当部材１０の後面からの離間寸法が漸次増大するなだらかな円弧状の曲面をなす、背当部材１０のための変形許容部３３が、上下方向に連続して設けられている。
【００３８】
この変形許容部３３の曲率半径を、上部から下部に向かって漸次小とすることにより、背当部材１０の後面と変形許容部３３との対向面の離間寸法が、上方に向かって漸次大となるようにしてある(図９〜図１３参照)。
なお、図示は省略するが、この変形許容部３３の曲率半径を上部から下部に向かって漸次大として、背当部材１０の後面と変形許容部３３との対向面の離間寸法を、下方に向かって漸次大となるようにすることもある。また、変形許容部３３は、円弧状の曲面とする以外に、例えば内方に向かうにしたがって曲率半径が漸次小となる放物面、または一部にフラットな傾斜面を有するものとしてもよい。
【００３９】
このように、左右の縦杆１３における縦リブ３２の内側の前縁に、背当部材１０の後面に当接する前端面から内側方に向かって、背当部材１０の後面からの離間寸法が漸次増大する変形許容部３３を設けると、着座者の背中により背当部材１０が後方へ押圧された際に、その中央部が後方に弾性変形するのに伴なって、背当部材１０の左右両側部も、縦杆１３の内側の前縁を支点として変形許容部３３に沿って後方に弾性変形し易くなる。従って、背当部材１０の中央部と両側部との変形量に大きな差が生じにくくなり、背当部材１０全体が効果的に後方に弾性変形することにより、着座者の背中が快適に支持されるようになる。
【００４０】
また、変形許容部３３を、なだらかな曲面をなす形状としてあるので、変形許容部３３に沿って、背当部材１０が後方に弾性変形し易くなり、かつ背当部材１０の両側部に大きな曲げ応力が加わらないので、縦杆１３と当接する後面が損耗する恐れが小さくなる。
【００４１】
さらに、変形許容部３３の曲率半径を、上部から下部に向かって漸次小とし、背当部材１０の後面と変形許容部３３との対向面の離間寸法を、上方に向かって漸次大となるようにすると、背中の荷重が大きく加わる背当部材１０の上部の両側部ほど、後方に大きく弾性変形するようになるので、背凭れ６をリクライニングさせて凭れ掛けた際の感触がよくなる。
【００４２】
なお、これとは反対に、変形許容部３３の曲率半径を上部から下部に向かって漸次大とし、背当部材１０の後面と変形許容部３３との対向面の離間寸法を、下方に向かって漸次大となるようにすると、臀部を座５の奥部に位置させて深く着座し、この状態で背凭れ６をリクライニングさせた際等において、背当部材１０の下部の両側部ほど、後方に大きく弾性変形し易くなるので、腰部付近が快適に支持される。
【００４３】
各縦杆１３は、上記縦リブ３２と、縦杆１３の外側面を形成する縦リブ３４との間の前面に、上下方向を向く肉抜き凹溝３５と上記凹溝２０とが互いに並列して設けられた、ほぼ前向き凵状断面をなしている。
【００４４】
図３〜図５に示すように、背当部材１０は、正面視ほぼ方形をなし、上下左右の縁部を除く内側の部分には、多数の小孔３６を設けることにより、その部分を撓み易くしたもので、左右両側部の後面には、上下方向を向く差込片３７、３７が、後方に向かって突出するようにして一体的に設けられている。
【００４５】
各差込片３７には、背凭れフレーム９の各縦杆１３における複数のピン挿入孔２１と対応する部分に、左右方向を向くピン挿入孔３８が、また各縦杆１３における貫通孔２４と対応する部分に、後端部に内向きの係合爪３９ａを有する弾性係合片３９がそれぞれ設けられている。
各差込片３７の後端縁における各ピン挿入孔３８の後方の部分には、各ピン挿入孔３８の中心を曲率中心とする側面視円弧状の突部３７ａが形成されている。
【００４６】
背当部材１０の上半部の後面における左右の差込片３７、３７の外側の部分には、各差込片３７と平行の左右1対の縦リブ４０、４０が設けられている。各縦リブ４０における上部の３個のピン挿入孔３８に対応する部分には、ピンの挿入の妨げとならないための円弧状の切欠き４０ａが設けられている。
【００４７】
図６〜図８に示すように、背当部材１０の上部には、後上方に向かって緩く屈曲する屈曲部１０ａが形成されており、この屈曲部１０ａの後面における上端より下方の部分には、平面視および後面視において三日月形をなし、かつ左右方向の中央部の縦断面形状が前方に凸の円弧状をなし、かつ屈曲部１０ａの後面に対して鋭角をなして後下方を向く下向片４１と、その下縁から鈍角をなして後方に向かって延出する後向片４２と、下向片４１と後向片４２との結合部から垂下する垂下片４３とが、一体的に設けられている。
この下向片４１と後向片４２とにより、背凭れ支持部材である背凭れフレーム９の上端から上方に離間するようにして、背当部材１０の上部後面から後方に向かって延出し、かつ背当部材１０と背凭れフレーム９との間の空間の上方と、背凭れフレーム９の上方とを覆う可撓性を有する軟質材料性の後覆い部が形成されている。
後向片４２は、下向片４１の左右方向の外側においても延出し、その外側の部分の後端は、屈曲部１０ａの後面と一体となっている。
【００４８】
なお、後向片４２の前後方向の長さは、本実施例のように、背凭れフレーム９の上面のほぼ全体を覆う長さとすることが、背当部材１０と背凭れフレーム９との間の空間に指や物品が入り込むのを確実に回避できる点、および、後向片４２の下端部が背凭れフレーム９の上端面に当接して、後向片４２の下端部よりも上方の部位、および下向片４１を撓曲させやすくする点から好ましいが、少なくとも、背当部材１０と背凭れフレーム９との間の空間の上方を覆いうるだけの長さがあればよい。この場合でも、着座者が背当部材１０にもたれかかると、背当部材１０の屈曲部１０ａは後方へ撓曲し、後面カバー１２の上端部との距離が小となるので、背当部材１０と背凭れフレーム９との間の空間に指や物品が入り込むことを回避することができる。また、前向き片６０の前後方向の長さを大として、背凭れフレーム９の上方の空間を、より広い範囲にわたって覆ってもよい。
【００４９】
垂下片４３から両側方に離間する後向片４２の両側部後端には、下端に前向き片４４ａを有し、かつ背当部材１０の各側部を背凭れフレーム９に係止させる係止手段をなす下向きの係合片４４が設けられている(図８参照)。
この係合片４４の横断面形状は、図１４に示すように、内側方に向かって拡開する楔状をなしている。
【００５０】
垂下片４３における左右方向の中央部とその両側方とには、背凭れフレーム９の上部連結部１４におけるねじ挿通孔２８とその両側方におけるオプション部材取付孔２９、２９、位置決め孔３０、３０、および段付き孔３１、３１に対応するボス挿通孔４５、４６、４６、４７、４７、４８、４８が設けられている。
【００５１】
垂下片４３の前面には、硬質合成樹脂材料よりなる補強材を兼ねる当て板４９が配設されている。この当て板４９の後面には、上記垂下片４３におけるボス挿通孔４５、４６、４６、４７、４７、４８、４８に対応し、それらに前方から嵌合しうる後方を向く複数のボス５０、５１、５１、５２、５２、５３、５３が一体的に設けられている。
【００５２】
図８〜図１３に示すように、左右の各差込片３７を、背凭れフレーム９の前面における左右の凹溝２０に前方より挿入し、対応するピン挿入孔２１とピン挿入孔３８とを整合させた状態で、ピン５４を背凭れフレーム９の両側方から、各ピン挿入孔２１とピン挿入孔３８とに挿入して(図１０参照)、差込片３７を凹溝２０から抜け止めし、かつ弾性係合片３９を貫通孔２４に嵌合して、その後端の係合爪３９ａを、貫通孔２４の後端の外側の縁に係止させ(図１２参照)、さらに、垂下片４３の前面に配設した当て板４９のボス５０、５１、５１、５２、５２、５３、５３を、垂下片４３におけるボス挿通孔４５、４６、４６、４７、４７、４８、４８に嵌合し、かつボス５２、５２、５３、５３を、背凭れフレーム９の上部連結部１４における位置決め孔３０、３０および段付き孔３１、３１に嵌合し、かつ各段付き孔３１に後方より挿通させた止めねじ５５を、ボス５３に設けた雌ねじ孔５６に螺合して締め付けることにより(図９参照)、背当部材１０は、背凭れフレーム９に、強固に、かつ安定よく装着されている。
上記差込片３７、ピン５４、弾性係合片３９、および突片２４ａ等により、背凭れフレーム９の左右の縦杆１３に、背当部材１０の両側部を支持する支持手段が形成されている。
【００５３】
各差込片３７を、背凭れフレーム９の前面における左右の凹溝２０に前方より挿入したとき、差込片３７の後端における円弧状の各突部３７ａが、背凭れフレーム９における対応する貫通孔２３に嵌合することにより、各差込片３７は、背凭れフレーム９に対して上下方向に位置決めされる。
【００５４】
図３および図４に示すように、背凭れフレーム９の両側方よりピン挿入孔２１に挿入する上方の３本のピン５４の頭部同士は、上下方向を向く連結杆５７をもって互いに連結され、各ピン５４をピン挿入孔２１に挿入したとき、図１０に示すように、連結杆５７が背凭れフレーム９の外側面に当接するようにしてある。
【００５５】
図示は省略してあるが、背凭れフレーム９の両側の下方のピン挿入孔２１に挿入する２本のピンも、連結杆５７と同様の連結杆をもって連結し、上方の３本のピン５４と同様にして、背凭れフレーム９の下方のピン挿入孔２１に挿入するのがよい。
なお、弾性係合片３９の係合爪３９ａを、貫通孔２４の後端の外側の縁に係止させるだけでも、背当部材１０の下部は背凭れフレーム９に確実に装着されるので、下方の２本のピンのピン挿入孔２１への挿入は省略することもある。
【００５６】
図５および図１２に示すように、弾性係合片３９の係合爪３９ａには、上下方向を向く係合孔３９ｂを設けておき、係合爪３９ａを貫通孔２４の後端の外側の縁に係止させたとき、上記係合孔３９ｂに、背凭れフレーム９における貫通孔２４の後端の外側の縁に突設した後方を向く突片２４ａが係合して、係合爪３９ａが、貫通孔２４の後端の外側の縁から内方に外れるのを防止しうるようにしておくのが望ましい。
【００５７】
図３〜図５、および図８に示すように、背凭れフレーム９の上端両側部における係合孔２６に、背当部材１０の後面側の上隅部に設けた下向の係合片４４を上方より嵌合して、係合孔２６の前縁に係合させ、かつ係合片４４の下端の前向き片４４ａが、係合孔２６の下端の前縁に係合しうるようにしておくことにより、背当部材１０の上端における左右の角部が、背凭れフレーム９から前方に剥離するのを防止することができる。
なお、組み付け手順としては、背凭れフレーム９の上端両側部における係合孔２６に、背当部材１０の係合片４４を上方より嵌合して、係合孔２６の前縁に係合させ、かつ係合片４４の下端の前向き片４４ａが、係合孔２６の下端の前縁に係合させ、その後、上記のように、差込片３７を、背凭れフレーム９の前面における左右の凹溝２０に前方より挿入して、背当部材１０を背凭れフレーム９に装着することになる。
【００５８】
図６および図７に示すように、背当部材１０を背凭れフレーム９の正規の位置に装着したとき、背当部材１０における後向片４２が、背凭れフレーム９の上端を覆うようにすることによって、外観の向上を図っている。
【００５９】
表皮材１１は、織布、メッシュ地、その他の張材の外周縁部に形成した筒状の紐通し部１１ａに引き紐５８(図６以降参照)を挿通し、背当部材１０の前面と外周部とを被包させた後、背当部材１０の後面側において、引き紐５８を引き締めて結ぶことにより、背当部材１０に装着されている。引き紐５８は、伸縮性を有するものを使用することもある。
【００６０】
背当部材１０に表皮材１１を装着した状態で、背当部材１０を上記のようにして背凭れフレーム９に装着することにより、背当部材１０の両側部の後面側においては、表皮材１１の両側部の端末における紐通し部１１ａが、背当部材１０の後面側の縦リブ４０の内側に係合した状態で、表皮材１１における紐通し部１１ａから背当部材１０の外側縁に沿って前方に折り返されるまでの部分が、背凭れフレーム９における縦リブ４０の前端と、後面カバー１２の前面における両側端より僅かに内方寄りの部分に突設した前向き片５９の前端とによって、背当部材１０の後面に向かって前向きに押圧され、表皮材１１の両側部が背凭れフレーム９から外側方に外れるのが確実に阻止されている。
【００６１】
表皮材１１における背当部材１０の上端部において後面側に折り返された部分の下縁は、背当部材１０の後面における下向片４１と後向片４２との結合部分に当接したり(図６参照)、下向片４１より上方の背当部材１０の後面に密接したり(図７参照)、背当部材１０の後面と後向片４２との連結部に当接したり(図８参照)するようになっている。
【００６２】
表皮材１１の下縁は、図６〜図８に示すように、背当部材１０の下端部において、単に上向きに折り返されているだけである。
【００６３】
図３および図４に示すように、後面カバー１２は、その前面に、上記の左右の前向き片５９、５９の他に、上端より僅かに下方の部分に突設され、かつ左右の前向き片５９、５９の上端と結合するようにした、前方に向かってほぼ水平に延出する前向き片６０を備えている。
この前向き片６０の左右両側部の前縁には、垂下片６１、６１が設けられている。
この垂下片６１の前面は、図１４に示すように、係合片４４の後面と平行をなすように、平面視において外側部が内側部より前方に位置するように傾斜し、かつ横断面形状が、後方に向かって開口する後向コ字状をなしている。
【００６４】
後面カバー１２の前面における下部の両側部には、背凭れフレーム９における貫通孔２４に対応する正面視方形の嵌合突部６２と、同じく上下の係合孔２５、２５に対応する円筒状の係合突部６３、６３とが突設されている。
各係合突部６３の先端部には、外向きの係止爪６３ａが設けられている。
【００６５】
後面カバー１２の後面における上部の左右方向の中央部には、左右方向を向く長円形の浅い凹入段部６４が設けられており、その凹入段部６４の中央には、ねじ挿通孔６５が、またその両側部には、オプション部材取付孔６６、６６が設けられている。
【００６６】
図８および図１４に示すように、背当部材１０の係合片４４が前縁に係合された、背凭れフレーム９の上端両側部の係合孔２６に、左右の垂下片６１を、その前面が係合片４４の後面に当接するか、または近接するようにして嵌合し、図１２に示すように、背当部材１０における弾性係合片３９の係合爪３９ａが後端の外側の縁に係止された、背凭れフレーム９の左右の貫通孔２４に、左右の嵌合突部６２を、その外側面が弾性係合片３９の内側面に当接するようにして嵌合し、図１１および図１３に示すように、各係合突部６３を、背凭れフレーム９における対応する段付き孔２５に嵌合して、その係止爪６３ａを段付き孔２５の前端縁に係止し、さらに、図６および図９に示すように、後面カバー１２の後方から、ねじ挿通孔６５と、背凭れフレーム９のねじ挿通孔２８とを順次挿通させた止めねじ６７を、当て板４９のボス５０に設けた雌ねじ孔６８に螺合して締め付けることにより、後面カバー１２は、背凭れフレーム９の後面に、強固に、かつ安定よく装着されている。
【００６７】
図１０に示すように、後面カバー１２を背凭れフレーム９に装着した状態において、ピン５４と一体をなす連結杆５７は、後面カバー１２の左右両側部における前面、および/または左右の前向き片５９と当接することにより押えられ、外側方への脱落が防止されている。これにより、ピン５４のピン挿入孔３８からの脱落を防止する脱落防止手段を別途設けることなく、ピン５４の脱落が防止されるとともに、背当部材１０の背凭れフレーム９からの脱落も防止される。なお、複数のピン５４を連結杆５７により連結しないで、ピン５４を単体で使用することもできるが、この際には、各ピン５４に拡径頭部を設け、この拡径頭部を、後面カバー１２における両側部の前面により押えうるようにすれば、その脱落を防止することができる。
【００６８】
また、左右の垂下片６１を、背当部材１０の係合片４４が前縁に係合された、背凭れフレーム９の上端両側部の係合孔２６に、上記のようにして嵌合することにより、係合片４４を係合孔２６から抜け止めすることができ、また、左右の嵌合突部６２を、背当部材１０における弾性係合片３９の係合爪３９ａが後端の外側の縁に係止された、背凭れフレーム９の左右の貫通孔２４に、上記のようにして嵌合することにより、弾性係合片３９を貫通孔２４から抜け止めすることができる。
【００６９】
後面カバー１２の後面における凹入段部６４には、銘板を兼ねるキャップ６９が、着脱可能として嵌着されている。
【００７０】
この椅子は、上記のような構成としてあるので、下向片４１と後向片４２とを備える後覆い部によって、背当部材１０と背凭れ支持部材である背凭れフレーム９との間の空間の上方を覆うことができ、上記空間への他部の進入や挾み込み等を防止しうるだけでなく、着座者が背当部材１０に凭れて、背当部材１０が、その左右方向の中央部が後方に膨出するように弾性撓曲しようとするとき、後覆い部は、背当部材１０の弾性撓曲に伴って、下向きに弾性撓曲し、それによって、背当部材１０の弾性撓曲を後覆い部が阻害する要因を著しく低減することができ、もって、着座者に快適な座り心地を与えることができる。
【００７１】
本発明は、上記実施形態のみに限定されるものではなく、特許請求の範囲を逸脱することなく、例えば、次のような幾多の変形した態様での実施が可能である。
(１)  図６における下向片４１と後向片４２とを、連続する円弧状とし、それをもって後覆い部とする。
(２)  背当部材１０の後面を上下方向を向く面とし、その後面から、後下方を向くように後覆い部を形成する。
(３)  背当部材１０を、後ろ覆い部を含めて、ポリプロピレンやポリアミドなどの硬質素材を板状に成形したものとする。この場合、背当部材１０自体の可撓性は、軟質材料で成形した場合よりも小となるので、下向片４１と後向辺４２の長さや曲率半径を大としたり、下向片４１の厚さを他の部位よりも小とすることで、背当部材１０の可撓性を阻害しないようにすることもできる。また、この場合、垂下片４３の厚さを大として、止めネジ６７が螺合する雌ねじ部やナットを設け、当て板４９を省略することもできる。
(４) 各垂下片６１の左右方向の幅を、背当部材１０の係合片４４の左右方向の幅とほぼ同一で、かつ被嵌合部である係合孔２６の左右方向の幅とほぼ同一か、または僅かに小とする。
【符号の説明】
【００７２】
１  キャスタ
２  脚
３  支柱
４  脚体
５  座
６  背凭れ
７  支持体
８  背凭れ支持杆
８ａ突条
９  背凭れフレーム(背凭れ支持部材)
１０  背当部材
１０ａ屈曲部
１１  表皮材
１１ａ紐通し部
１２  後面カバー
１３  縦杆
１４  上部連結部
１５  下部連結部
１６  傾斜杆
１７  凹部
１８  前壁
１９  ボルト・ナット
２０  凹溝
２１  ピン挿入孔
２２  案内溝
２３  貫通孔
２４  貫通孔
２４ａ突片
２５  段付き孔
２６  係合孔
２７  凹入段部
２８  ねじ挿通孔
２９  オプション部材取付孔
３０  位置決め孔
３１  段付き孔
３２  縦リブ
３３  変形許容部
３４  縦リブ
３５  肉抜き凹溝
３６  小孔
３７  差込片
３７ａ突部
３８  ピン挿入孔
３９  弾性係合片
３９ａ係合爪
３９ｂ係合孔
４０  縦リブ
４０ａ切欠き
４１  下向片(後覆い部)
４２  後向片(後覆い部)
４３  垂下片
４４  係合片
４４ａ前向き片
４５、４６、４６、４７、４８  ボス挿通孔
４９  当て板
５０、５１、５２、５３  ボス
５４  ピン
５５  止めねじ
５６  雌ねじ孔
５７  連結杆
５８  引き紐
５９、６０  前向き片
６１  垂下片
６２  嵌合突部
６３  係合突部
６３ａ係止爪
６４  凹入段部
６５  ねじ挿通孔
６６  オプション部材取付孔
６７  止めねじ
６８  雌ねじ孔
６９  キャップ
【図１】
2014008253.tif 000003
【図２】
2014008253.tif 000004
【図３】
2014008253.tif 000005
【図４】
2014008253.tif 000006
【図５】
2014008253.tif 000007
【図６】
2014008253.tif 000008
【図７】
2014008253.tif 000009
【図８】
2014008253.tif 000010
【図９】
2014008253.tif 000011
【図１０】
2014008253.tif 000012
【図１１】
2014008253.tif 000013
【図１２】
2014008253.tif 000014
【図１３】
2014008253.tif 000015
【図１４】
2014008253.tif 000016